(57)【特許請求の範囲】
【請求項１】
平行リンクを備えた昇降部を有し、駆動源により上記平行リンクを変位させ上記昇降部によって支持された座部を洗髪ボウルに向かって上昇及び後退させる理美容用椅子において、
上記昇降部には、上記座部の後退を抑制する前後動抑制手段を備え、
上記前後動抑制手段は、上記座部を上記平行リンクに対して相対的に前進させるものであり、且つ、上記座部が上記の上昇及び後退の動きを行っている途中に作動するものであり、
上記座部は上記平行リンクの変位により洗髪ボウルに向かって上昇且つ後退した後、上記前後動抑制手段の作動によって、上記座部は上記後退が抑制されながら上昇するものであることを特徴とする理美容用椅子。
【請求項２】
上記平行リンクは、前位リンクと、上記前位リンクと平行移動すると共に上記前位リンクの後方に配位された後位リンクとを備え、上記後位リンクが接地され、上位前位リンクが前記洗髪ボウルに向かって上昇及び後退するものであり、
上記前後動抑制手段は、第２リンクと、台座部とを備え、
上記第２リンクの一端側は上記平行リンクに回動可能に接続され、他端側は上記台座部に回動可能に接続されたものであり、
上記平行リンク又は上記台座部の何れか一方には制限された摺動領域を備え、上記平行リンク又は上記台座部の何れか一方は上記第２リンクの一端側又は他端側に対して上記制限された摺動領域内で前後に摺動可能に接続されたものであり、
上記台座部は上記前位リンクに対して前後に摺動可能に接続されると共に、上記台座部と共に上記座部が前後に移動するものであり、
上記前位リンクが上記洗髪ボウルに向かって上昇及び後退する際に、上記第２リンクの一端又は他端側は、上記制限された摺動領域の端部に移動し、これ以上の移動が不可能になった段階で、上記台座部が上記前位リンクに対して相対的に前進するものであることを特徴とする請求項１に記載の理美容用椅子。
【請求項３】
上記平行リンクは、前位リンクと、上記前位リンクと平行移動すると共に上記前位リンクの後方に配位された後位リンクとを備え、上記後位リンクが接地され、上位前位リンクが前記洗髪ボウルに向かって上昇及び後退するものであり、
上記前後動抑制手段は、基端側を上記平行リンクに接続された第２リンクと、上記第２リンクの先端側に対して回動可能且つ制限された摺動領域内で前後に摺動可能に接続された台座部とを備え、
上記台座部は上記前位リンクに対して前後に摺動可能に接続されると共に、上記台座部と共に上記座部が前後に移動するものであり、
上記前位リンクが上記洗髪ボウルに向かって上昇及び後退する際に、上記第２リンクの先端側は、上記制限された摺動領域の後端から前端に移動し、これ以上の前進が不可能になった段階で、上記台座部が上記前位リンクに対して相対的に前進するものであり、
上記平行リンクは、上記前位リンクの上端と上記後位リンクの上端とを回動可能に接続してなる上位リンクと、上記上位リンクと平行移動すると共に上記上位リンクの下方に配位された下位リンクとを備え、
上記第２リンクの基端側は、上記上位リンク又は上記下位リンクに接続され、
上記前位リンクが上記洗髪ボウルに向かって上昇及び後退する際の上記前位リンクの最低位から最高位までの前後方向の移動距離が、上記摺動領域の前後方向距離よりも大きいことを特徴とする請求項１に記載の理美容用椅子。
【発明の詳細な説明】
【技術分野】
【０００１】
本願発明は、理美容用椅子に関するものであり、特に、理美容院において被施術者がバックシャンプー方式の洗髪サービスを受ける際に使用される理美容用椅子に関するものである。
【背景技術】
【０００２】
従来、理美容院にて被施術者が仰向けの状態で被背術者の頭部を洗髪ボウルに位置させて洗髪サービスを受けるバックシャンプー方式の理美容用椅子において、被施術者が着座する座部を平行リンクを用いた昇降機構（以下、平行リンク機構）により昇降させる理美容用椅子が広く使われている。（例えば、特許文献１参照）
【先行技術文献】
【特許文献】
【０００３】
【特許文献１】特公平７−８９９７１号公報
【発明の概要】
【発明が解決しようとする課題】
【０００４】
平行リンク機構とは、床面に設置された理美容用椅子の基台と座部との間に、基台と座部のそれぞれに回動可能に取り付けられた平行リンク部材を配置し、平行リンク部材を基台上に設けられた駆動源となるアクチュエーターの伸縮によって起倒させることにより、座部を昇降させるものである。
【０００５】
平行リンク機構は、基台上に垂直にアクチュエーターを設け、アクチュエーターの先端部に設けられた座部をアクチュエーターの伸縮により昇降させる昇降機構と比較して、昇降ストロークが大きく座部の移動範囲を広くできる反面、平行リンク機構による昇降は座部が円弧上に上昇又は下降するため、前後方向の移動を伴いながら上下方向の移動が行なわれる。よって、洗髪サービス時に理美容用椅子を洗髪ボウルに向かって上昇及び後退させる際、理美容用椅子を洗髪ボウルに衝突させたり、逆に理美容用椅子が洗髪ボウルから離れすぎるなど、洗髪ボウルと理美容用椅子との間隔の調整に労を要し、特に、理美容用椅子と洗髪ボウルとの上下方向の間隔を調整するのに労を要していた。
【０００６】
上記問題を解決するために、特許文献１においては、被施術者の座高の高低に対応すべく、座部の移動量と背もたれの起伏度を調整することによって洗髪ボウルと洗髪用椅子との間隔を調整することが提案されている。しかしながら、実際、洗髪サービスを受ける被施術者の座高が略等しかったとしても、被施術者が洗髪サービスを受ける際に、被施術者ごとに洗髪ボウルと理美容用椅子との間隔、特に上下方向の間隔の調整を行う必要があり、座部の昇降のみを調整することにより洗髪ボウルと理美容用椅子との上下方向の間隔の調整が容易に行える理美容用椅子が求められていた。
【０００７】
本願発明はこのことに鑑み、平行リンク機構により昇降する理美容用椅子おいて、理美容用椅子と洗髪ボウルとの間隔、特に上下方向の間隔の調整を容易に行うことができるようにすることを課題とする。
【課題を解決するための手段】
【０００８】
上記課題を解決するために、本願の請求項１に記載の発明は、平行リンクを備えた昇降部を有し、駆動源により上記平行リンクを変位させ上記昇降部によって支持された座部を洗髪ボウルに向かって上昇及び後退させる理美容用椅子において、上記昇降部には、上記座部の後退を抑制する前後動抑制手段を備えることを特徴とする。上記前後動抑制手段は、上記座部を上記平行リンクに対して相対的に前進させるものであり、且つ、上記座部が上記の上昇及び後退の動きを行っている途中に作動するものである。その結果、上記座部は上記平行リンクの変位により洗髪ボウルに向かって上昇且つ後退した後、上記前後動抑制手段の作動によって、上記座部は上記後退が抑制されながら上昇する。
【０００９】
また、本願の請求項２に記載の発明は、上記平行リンクは、前位リンクと、上記前位リンクと平行移動すると共に上記前位リンクの後方に配位された後位リンクとを備え、上記後位リンクが接地され、上位前位リンクが前記洗髪ボウルに向かって上昇及び後退するものであり、上記前後動抑制手段は、第２リンクと、台座部とを備え、上記第２リンクの一端側は上記平行リンクに回動可能に接続され、他端側は上記台座部に回動可能に接続されたものであり、上記平行リンク又は上記台座部の何れか一方には制限された摺動領域を備え、上記平行リンク又は上記台座部の何れか一方は上記第２リンクの一端側又は他端側に対して上記制限された摺動領域内で前後に摺動可能に接続されたものであり、上記台座部は上記前位リンクに対して前後に摺動可能に接続されると共に、上記台座部と共に上記座部が前後に移動するものであり、上記前位リンクが上記洗髪ボウルに向かって上昇及び後退する際に、上記第２リンクの一端又は他端側は、上記制限された摺動領域の端部に移動し、これ以上の移動が不可能になった段階で、上記台座部が上記前位リンクに対して相対的に前進するものであることを特徴とする請求項１に記載の理美容用椅子を提供する。
【００１０】
また、本願の請求項３に記載の発明は、上記平行リンクは、前位リンクと、上記前位リンクと平行移動すると共に上記前位リンクの後方に配位された後位リンクとを備え、上記後位リンクが接地され、上記前位リンクが前記洗髪ボウルに向かって上昇及び後退するものであり、上記前後動抑制手段は、基端側を上記平行リンクに接続された第２リンクと、上記第２リンクの先端側に対して回動可能且つ制限された摺動領域内で前後に摺動可能に接続された台座部とを備え、上記台座部は上記前位リンクに対して前後に摺動可能に接続されると共に、上記台座部と共に上記座部が前後に移動するものであり、上記前位リンクが上記洗髪ボウルに向かって上昇及び後退する際に、上記第２リンクの先端側は、上記制限された摺動領域の後端から前端に移動し、これ以上の前進が不可能になった段階で、上記台座部が上位前位リンクに対して相対的に前進するものであり、上記平行リンクは、上記前位リンクの上端と上記後位リンクの上端とを接続してなる上位リンクと、上記上位リンクと平行移動すると共に上記上位リンクの下方に配位された下位リンクとを備え、上記第２リンクの基端側は、上記上位リンク又は上記下位リンクに接続され、上記前位リンクが上記洗髪ボウルに向かって上昇及び後退する際の上記前位リンクの最低位から最高位までの前後方向の移動距離が、上記摺動領域の前後方向距離よりも大きいことを特徴とする請求項１に記載の理美容用椅子を提供する。
【発明の効果】
【００１１】
本願の請求項１の発明では、平行リンクを備えた昇降部に座部の後退を抑制する前後動抑制手段を備え、上記座部が洗髪ボウルに向かって上昇及び後退の動きを行っている途中に上記前後動抑制手段を作動するように設けることにより、上記座部が上昇及び後退を行う区間と後退を抑制しながら上昇を行う区間とを設けることができ、座部と洗髪ボウルの前後方向の位置関係を設定した後に、上下方向の位置関係を調整することができるため、理美容用椅子を洗髪ボウルに向かって上昇及び後退させる際に、洗髪ボウルと理美容用椅子との間隔、特に上下方向の間隔の調整を容易に行える理美容用椅子を提供することができたものである。
本願の請求項２又は３の発明では、上記請求項１の発明の効果に加え、一端側を上記平行リンクに回動可能に接続された第２リンクと、上記第２リンクの他端側に回動可能に接続された台座部とからなる前後動抑制手段を設け、上記平行リンク又は上記台座部の何れか一方に制限された摺動領域を備え、上記平行リンク又は上記台座部の何れか一方は上記第２リンクの一端側又は他端側に対して上記制限された摺動領域内で前後に摺動可能に接続されることにより、座部を洗髪ボウルに向かって上昇及び後退させる際、上記前後動抑制作用が作動する前、つまり、平行リンクの変位に伴い第２リンクの一端側又は他端側に接続されたスライド軸が摺動領域の端部に向かって移動している間は、座部が上昇及び後退の動きを行い、上記前後動抑制作用が作動した後、つまり、上記スライド軸が摺動領域の端部に当接した後は、座部が後退を抑制しながら上昇することにより、座部が上昇及び後退を行う区間と前後動抑制手段により後退を抑制しながら上昇を行う区間とを設けることができたものである。また、前後動抑制手段作動後は上記スライド軸のさらなる移動は不可能だが、平行リンクを構成する前位リンクに対して台座部が相対的に前進することにより、洗髪ボウルに向かって座部を後退を抑制しながら上昇させることができたものである。
【図面の簡単な説明】
【００１２】
【図１】本願発明に係る理美容用椅子全体を示す側面図である。
【図２】理美容用椅子の昇降過程を示す説明図であり、（Ａ）は座部が最低位に位置する状態、（Ｂ）は座部が中間位に位置する状態、（Ｃ）は前後動抑制手段作動時の状態、（Ｄ）は座部が最高位に位置する状態を示す。
【発明を実施するための形態】
【００１３】
以下、図面に基づき本願発明の実施の形態の一例を取り上げて説明する。なお、本願の請求項及び明細書の記載における上下前後左右の表現は、相対的な位置関係を示すにとどまり、絶対的な位置関係を特定するものではない。
【００１４】
本願発明に係る理美容用椅子１０は、洗髪ボウル台座９２に備えられた洗髪ボウル９１に仰向けの状態で被施術者の頭部を洗髪ボウル９１に位置させて、洗髪サービスを受けるのに適したものであり、図１に示すように、理美容院の床面９０に設置される基台１１と、基台１１の上部に設けられた昇降部３０と、昇降部３０の上部に設けられた座部基板１２、前垂れ基板１３及び背もたれ基板１４の各基板及び座部１５、前垂れ部１６及び背もたれ部１７とから構成される。
【００１５】
昇降部３０は、基台１１の上部に立設された支柱３１と、その一端側が支柱３１に回動可能に接続され、他端側がリンクブラケット３２に回動可能に接続された平行リンク４０と、リンクブラケット３２と、平行リンク４０に接続された第２リンク６１と、座部基板１２及び座部１５を支持する台座部７０と、支柱３１に備えられ平行リンク４０に接続されたアクチュエーター８０とから構成される。また、上記基台１１及び上記昇降部３０の一部（支柱３１やアクチュエーター８０の一部等）は、ケース１９によってカバーされている。
【００１６】
平行リンク４０は、上位リンク４３、下位リンク４４及びそれらを回動可能に接続する回動軸４６，４７，４８，４９とから構成される。図１に示すように、ロッド形状に形成された上位リンク４３とロッド形状に形成された下位リンク４４は、その一端を第１回動軸４６、第３回動軸４８によって支柱３１に回動可能に接続され、他端を第１回動軸４６、第３回動軸４８と平行で、第１回動軸４６、第３回動軸４８と同間隔の第２回動軸４７、第４回動軸４９によってリンクブラケット３２に回動可能に接続されている。よって、上位リンク４３と下位リンク４４、上位リンク４３及び下位リンク４４が回動可能に接続された支柱３１とリンクブラケット３２、及びそれらを回動可能に接続する回動軸４６，４７，４８，４９とで平行四辺形を形成することができ、その平行四辺形の前方側の短辺を前位リンク４１、後方側の短辺を後位リンク４２とすることができる。前位リンク４１はリンクブラケット３２によって構成され、後位リンク４２は支柱３１によって構成されている。よって、後位リンク４２は接地されており、この不動の後方リンク４２を基準として、平行リンク４０が変位する。また、上位リンク４３の支柱３１側の下方には突起部４５を備え、アクチュエーター８０と接続されている。上記突起部４５は、下位リンク４４に設けてもよい。
【００１７】
アクチュエーター８０は、図１に示すように、平行リンク４０を駆動し変位させる駆動源である。本実施形態においては、シリンダ本体８１とピストンロッド８２とを備えた油圧シリンダを使用している。上記アクチュエーター８０は、油圧以外の流動圧シリンダや電動式の直線駆動源や、リンクを回動させるための回転運動駆動源に変更して実施することが出来る。
【００１８】
上記シリンダ本体８１の基端側は、シリンダ軸８３により支柱３１に回動可能に接続され、また、ピストンロッド８２の先端側は、第６回動軸８４によって上位リンク４３の突起部４５に回動可能に接続されている。上記平行リンク４０は上記ピストンロッド８２の伸縮により変位する。より詳しくは、上記ピストンロッド８２の伸長により上位リンク４３の突起部４５が上方に押し出され、上位リンク４３は、第１回動軸４６を中心とし、第２回動軸４７を回動点として円弧上に上昇する。下位リンク４４は、上位リンク４３と第１〜第４回動軸４６，４７，４８，４９とによって、上位リンク４３との平行を維持したまま回動し、第２回動軸４７及び第４回動軸４９に回動可能に接続されたリンクブラケット３２、つまり前位リンク４１についても、上位リンク４３及び下位リンク４４の回動により上昇及び後退する。
【００１９】
第２リンク６１は、ロッド形状に形成された第２リンク６１及び第２リンク６１を回動可能に接続する回動軸６２，６３からなる。本実施形態においては、図１に示すように、第２リンク６１の基端側は、上位リンク４３の略中央に第５回動軸６２によって回動可能に接続され、先端側は後述する台座部７０に設けられた摺動領域７５に配位されたスライド軸６３に回動可能且つ摺動可能に接続されている。また、摺動領域７５を平行リンク４０に設け、第２リンク６１の基端側は、平行リンク４０に設けられた摺動領域７５に配位されたスライド軸６３によって回動可能且つ摺動可能に接続され、先端側は後述する台座部７０に第５回動軸６２によって回動可能に接続されていてもよく、本実施形態のように、台座部７０に摺動領域７５を設けた方が、上記スライド軸６３を円滑に摺動させることができる。第２リンク６１の基端側が平行リンク４０に回動可能に接続されていることにより、平行リンク４０の変位に伴い、第２リンク６１も変位される。本実施形態においては、第２リンク６１の基端側は上位リンク４３の略中央に配置されているが、第２リンク６１の基端側は上位リンク４３の第１及び第３回動軸４８間に第５回動軸６２を介して接続されていればよく、略中央に接続させる必要はない。また、第２リンク６１の基端側は下位リンク４４に第５回動軸６２を介して接続してもよい。さらに、上位リンク４３及び下位リンク４４を板状やブロック状のもので形成し、その上面と第２リンク６１の基端側を回動可能に接続してもよい。この例では、摺動領域７５として、長孔を採用し、これにスライド軸６３を摺動可能に挿通しているが、所定の前後長さに制限された区間内のみを、第２リンク６１の先端側が移動可能とするものであればよく、ロッドとこれに挿通された摺動子など、適宜変更して実施する事かできる。
【００２０】
台座部７０は、座部基板１２及び座部１５を支持するもので、図１に示すように、座部基板１２が取り付けられた台座板７１と台座板７１の下方に設けられた座支持部７４とから構成される。
【００２１】
台座板７１は、上部に座部基板１２が取り付けられ、下部後方に座支持部７４が取り付けられている。また、下部前方及び下部後方で且つ上記座支持部７４の前方にはガイド取付部７２が設けられ、後述するリンクブラケット３２を摺動可能に備えるガイド７３が取り付けられている。また、上記座部基板１２の上部には座部１５が取り付けられている。
【００２２】
座支持部７４は、台座板７１の下部後方に備えられ、台座板７１及び台座板７１の上部に取り付けられた座部基板１２及び座部１５を支持している。また、上記座支持部７４の下部には制限された摺動領域７５を備え、上記摺動領域７５に摺動可能に挿通されたスライド軸６３によって第２リンク６１と回動可能且つ前後に摺動可能に接続され、上記第２リンク６１と台座部７０とから上記座部１５の後退を抑制する前後動抑制手段６０が構成される。本実施形態においては、上述の通り、上記摺動領域７５は長孔となっているが、上記スライド軸６３に対して回動可能且つ制限された摺動領域７５内を前後に摺動可能とするものであれば矩形の孔やレールなどどのような形状であってもよい。さらに、座支持部７４は背もたれ基板１４及び背もたれ部１７を支持する背もたれ支持部１８を備えている。
【００２３】
リンクブラケット３２は、図１に示すように、台座板７１の下方、かつ座支持部７４の前方に配置され、平行リンク４０の一端側を回動可能に接続し前位リンク４１を構成するとともに、上部前方及び後方にそれぞれガイド溝３３が取り付けられ、台座板７１に備えられたガイド７３がガイド溝３３に前後方向に摺動可能に取り付けられることによりリンクブラケット３２と台座部７０とが前後に摺動可能に接続される。よって、平行リンク４０がアクチュエーター８０によって変位すると、上記前後動抑制手段６０が作動するまでは、台座部７０とリンクブラケット３２とがともに回動される。
【００２４】
上記台座板７１は、本実施形態においては、上記座支持部７４の上部に取り付けられているが、リンクブラケット３２の上部に取り付けられていてもよい。また、上記台座部７０又は上記リンクブラケット３２のどちらか一方にガイド７３を、他方にガイド溝３３を備え、ガイド７３がガイド溝３３に前後方向に摺動可能に取り付けられていればよく、ガイド７３及びガイド溝３３により前位リンク４１（リンクブラケット３２）に対して台座部７０が前後に摺動可能に接続されていればよい。また、リンクブラケット３２の下部後方と座支持部７４の下部前方には引張バネ７６が取り付けられている。
【００２５】
上記昇降部３０による座部１５の昇降動作は、以下のとおりである。座部１５を図２（Ａ）の位置から図２（Ｂ）の位置まで洗髪ボウル９１に向かって上昇及び後退させる場合、まず、油圧供給部（図示省略）により油圧シリンダが加圧され、ピストンロッド８２を伸長する。ピストンロッド８２が伸長されると、上位リンク４３の突起部４５が上方に押し出され、平行リンク４０は第１回動軸４６、第３回動軸４８を中心とし、第２回動軸４７及び第４回動軸４９を回動点として時計回りに上方に回動する。よって、前位リンク４１は後位リンク４２と平行なまま洗髪ボウル９１に向かって上昇及び後退（図示右側）するため、座部１５が取り付けられた台座部７０及び前位リンク４１（リンクブラケット３２）は洗髪ボウル９１に向かって基台１１に対する角度を維持した状態で上昇及び後退する。
【００２６】
このとき、第２リンク６１は平行リンク４０の回動により、基端側の第５回動軸６２を中心として反時計回りに回動し、先端側に接続されたスライド軸６３が摺動領域７５内を摺動する。より詳しくは、図２（Ａ）の位置では、上記スライド軸６３は摺動領域７５の後端に当接していたが、図２（Ｂ）の位置まで座部１５を上昇及び後退させると、上記スライド軸６３は摺動領域７５内を後方から前方へ（図示右側から図示左側へ）摺動する。
【００２７】
次に、座部１５を図２（Ｃ）の位置まで上昇及び後退させると、平行リンク４０は第１回動軸４６、第３回動軸４８を中心とし、第２回動軸４７及び第４回動軸４９を回動点として時計回りに上方に回動し、台座部７０及び前位リンク４１（リンクブラケット３２）は洗髪ボウル９１に向かって上昇及び後退する一方、第２リンク６１が反時計回りに回動することにより、先端側に接続されたスライド軸６３は、摺動領域７５内を前方へ摺動し、摺動領域７５の前端に当接する。
【００２８】
さらに、座部１５を図２（Ｄ）の位置まで上昇させると、平行リンク４０は第１回動軸４６、第３回動軸４８を中心とし、第２回動軸４７及び第４回動軸４９を回動点として時計回りに上方に回動するが、第２リンク６１の先端側に接続されたスライド軸６３が摺動領域７５の前端に当接したため、これ以上の前進が不可能となり、台座部７０及び台座部７０に取り付けられた座部１５の後退は抑制又は停止される。しかしながら、前位リンク４１（リンクブラケット３２）は、リンクブラケット３２のガイド溝３３に摺動可能に取り付けられたガイド７３に沿って前位リンク４１（リンクブラケット３２）のみが後方へ摺動することができ、洗髪ボウル９１に向かって上昇及び後退することができる。すなわち、前位リンク４１（リンクブラケット３２）側からみると、前位リンク４１（リンクブラケット３２）は後退しているが台座部７０が後退を抑制又は停止されているため、上記台座部７０が上記リンクブラケット３２、つまり前位リンク４１に対して相対的に前進する。よって、座部１５の後退は抑制又は停止されたにもかかわらず、座部１５をさらに上昇させることができる。また、リンクブラケット３２の下部後方と座支持部７４の下部前方に取り付けられた引張バネ７６が前位リンク４１（リンクブラケット３２）のみの後方へ摺動を助ける。
【００２９】
上記のように、座部１５を洗髪ボウル９１に向かって上昇及び後退させる際に、上記座部１５が上記の上昇及び後退の動きを行っている途中に座部１５の後退を抑制する前後動抑制手段６０を作動させることにより、台座部７０及び台座部７０に取り付けられた座部１５の後退を抑制又は停止することができる。より詳しくは、平行リンク４０を時計回りに上方に回動させ、台座部７０及び前位リンク４１（リンクブラケット３２）を洗髪ボウル９１に向かって上昇及び後退させる一方、基端側が平行リンク４０に回動可能に接続された第２リンク６１の先端側に回動可能に接続されたスライド軸６３が摺動領域７５内を後方から前方へ摺動し、上記スライド軸６３が摺動領域７５の前端に当接することにより、台座部７０の後退を抑制又は停止する。よって、座部１５を洗髪ボウル９１に向かって上昇及び後退させる際、前後動抑制手段６０が作動する前、つまり、第２リンク６１の先端側に接続されたスライド軸６３が摺動領域７５の前端に当接するまでは、座部１５が上昇及び後退の動きを行い、前後動抑制手段６０が作動した後、つまり、上記スライド軸６３が摺動領域７５の前端へ当接後は、座部１５の後退を抑制しながら上昇することになり、座部１５が上昇及び後退を行う区間と前後動抑制手段６０により後退を抑制しながら上昇を行う区間とを設けることができる。よって、座部１５を洗髪ボウル９１付近まで上昇及び後退させ、座部１５と洗髪ボウル９１の前後方向の位置関係を設定した後、上下方向の位置関係を容易に調整することができるため、洗髪ボウル９１と理美容用椅子１０との間隔の調整を容易に行うことができる。また、前後動抑制手段６０を作動させる位置については、理美容用椅子１０と洗髪ボウル９１との関係から任意に設定することができる。本実施形態においては、座部１５が上昇及び後退を行う区間の前後方向の距離は約８６ｍｍであり、前後動抑制手段６０の作動により後退を抑制しながら上昇を行う区間の上下方向の距離は約６０ｍｍとして実施しているが、これらの距離は適宜変更して実施することが出来る。また、座部１５が洗髪ボウル９１に向かって上昇及び後退する際の前位リンク４１（リンクブラケット３２）の最低位から最高位までの前後方向の移動距離は、上記摺動領域７５の前後方向距離よりも大きくなるよう設定する。図２（Ｄ）に示すように、図２（Ａ）の位置における第４回動軸４９の前後方向の位置をａ、図２（Ｄ）の位置における第４回動軸４９の前後方向の位置をｄ、上記摺動領域７５の前後方向距離ｌとすると、ａｄ＞ｌとなるよう設定する。そのように設定することで、前後動抑制手段６０作動後に、台座部７０及び台座部７０に取り付けられた座部１５の後退は抑制又は停止されるが、前位リンク４１（リンクブラケット３２）のみが、ガイド溝３３に摺動可能に取り付けられたガイド７３に沿って後方へ摺動することができる。なお、図２（Ｄ）の二点鎖線は、図２（Ａ）の位置における平行リンク４０及びリンクブラケット３２を示す。
【００３０】
一方、座部１５を図２（Ｄ）に示すような最高位から図２（Ｃ）に示す位置まで下降させる場合は、油圧供給部（図示省略）が油圧シリンダを減圧し、ピストンロッド８２を短縮する。ピストンロッド８２が短縮されると、上位リンク４３の突起部４５が下方に引き込まれ、平行リンク４０は第１回動軸４６、第３回動軸４８を中心とし、第２回動軸４７及び第４回動軸４９を回動点としてとして反時計回りに下方に回動する。
【００３１】
このとき、前後動抑制手段６０が作動しているため、台座部７０の前方への移動は抑制又は停止されたままとなるが、前位リンク４１（リンクブラケット３２）はガイド溝３３に摺動可能に取り付けられたガイド７３に沿って下降及び前進（洗髪ボウル９１から離れる方向）（図示左側）する。よって、座部１５の前進は抑制又は停止されたにもかかわらず、座部１５を下降させることができる。
【００３２】
さらに、座部１５を図２（Ｃ）から図２（Ｂ）の位置まで下降及び前進させる場合は、平行リンク４０は第１回動軸４６、第３回動軸４８を中心とし、第２回動軸４７及び第４回動軸４９を回動点として反時計回りに下方に回動する。図２（Ｃ）の位置において、前後動抑制手段６０の作動が解除され、台座部７０及び前位リンク４１（リンクブラケット３２）はともに洗髪ボウル９１から離れる方向に向かって基台１１に対する角度を維持した状態で下降及び前進する。一方、第２リンク６１は平行リンク４０の回動により、基端側の第５回動軸６２を中心として時計回りに回動し、先端側に接続されたスライド軸６３が、摺動領域７５の前端から後方へ摺動する。図２（Ａ）に示すように、座部１５が最低位に達した際、第２リンク６１に連結されたスライド軸６３は、摺動領域７５の後端に当接する。
【００３３】
背もたれ基板１４の上部に取り付けられた背もたれ部１７及び前垂れ基板１３の上部に取り付けられた前垂れ部１６はそれぞれ起倒するものとし、起倒に関する手段は公知技術を用いるものとする。その際、上記平行リンク４０と連動させて起倒させてもよいし、個別に起倒させてもよい。実際に、本願発明に係る理美容用椅子１０を洗髪ボウル９１に向かって上昇及び後退させる際は、少なくとも背もたれ部１７を起倒させて上昇及び後退の動きを行うものとする。
【００３４】
以上により、本願発明に係る理美容用椅子１０によれば、平行リンク４０と、一端側を上記平行リンク４０に回動可能に接続された第２リンク６１と、上記第２リンク６１の他端側に回動可能に接続された台座部７０とからなる前後動抑制手段６０とを備えた昇降部３０を設け、上記平行リンク４０又は上記台座部７０の何れか一方には制限された摺動領域７５を備え、上記平行リンク４０又は上記台座部７０の何れか一方は上記第２リンク６１の一端側又は他端側に対して上記制限された摺動領域７５内で前後に摺動可能に接続されることにより、上記平行リンク４０を変位させ座部１５を洗髪ボウル９１に向かって上昇及び後退させる際に、摺動領域７５に摺動可能に挿通された上記スライド軸６３は摺動領域７５の端部に向かって摺動し、上記座部１５が上記の上昇及び後退の動きを行っている途中で、上記スライド軸６３が上記摺動領域７５の端部に当接することにより上記座部１５の後退を抑制するものである。さらに、上記座部１５を洗髪ボウル９１に向かって上昇及び後退させようとすると、上記前後動抑制手段６０の作動により、台座部７０の後退は抑制されるが、前位リンク４１（リンクブラケット３２）が台座板７１に備えられたガイド７３に沿って摺動することにより、前位リンク４１（リンクブラケット３２）のみを後退させることができる。すなわち、前位リンク４１（リンクブラケット３２）側からみると、前位リンク４１（リンクブラケット３２）は後退しているが台座部７０が後退を抑制又は停止されているため、上記台座部７０が上記前位リンク４１（リンクブラケット３２）に対して相対的に前進していることになる。よって、座部１５の後退は抑制又は停止されたにもかかわらず、座部１５をさらに上昇することができ、従来のように、理美容用椅子１０と洗髪ボウル９１との間隔の調整において、上下方向の調整を、座部１５の前後動を少なくし、最も望ましくは前後動を伴うことなく容易に行えるようになったものである。
【符号の説明】
【００３５】
１０    理美容用椅子
１１    基台
１７    座部
３０    昇降部
４０    平行リンク
４１    前位リンク
４２    後位リンク
４３    上位リンク
４４    下位リンク
６０    前後動抑制手段
６１    第２リンク
７０    台座部
７５    摺動領域
８０    アクチュエーター
９１    洗髪ボウル
【図１】
0005451527.tif 000002
【図２】
0005451527.tif 000003